(57)【要約】      （修正有）【課題】物品を収納するプラスチック袋の開口端を密封し、かつ開孔部によって該物品を出し入れすることができる密封装置を提供する。【解決手段】本発明に係るプラスチック袋９の密封装置１は、第１圧接部品２、第２圧接部品３、蓋嵌合部品４および蓋部品からなり、該第１圧接部品にある二つの回転軸によって該第２圧接部品と該蓋嵌合部品は、前記第１圧接部品とそれぞれ垂直方向に回動自在に結合し、該第１圧接部品と該第２圧接部品が向き合った状態で、該蓋嵌合部品がこれら全体を覆うように嵌合してプラスチック袋の両側膜を密着させ、前記蓋部品が該蓋嵌合部品で形成される開孔部を覆うことでプラスチック袋の密封を達成する。【選択図】図１
2020011778.tif 000002
【特許請求の範囲】
【請求項１】
物品を収納するプラスチック袋の開口端を密封し、かつ開孔部によって該物品を出し入れできるプラスチック袋用の密封装置であり、該密封装置は第１圧接部品、第２圧接部品、蓋嵌合部品および蓋部品からなり、
該第１圧接部品と該第２圧接部品はそれぞれ、プラスチック袋を介して互いに圧接する圧接部と、圧接された状態において第１開孔部を形成する弧状部とを有し、
該第１圧接部品は、第１回転軸および該第１回転軸の方向に対して垂直な方向の第２回転軸を有し、
該第２圧接部品は、該第１回転軸および第１回転軸対応部によって該第１圧接部品と回動自在に結合することにより前記圧接部を圧接可能にし、
前記蓋嵌合部品は、前記第２回転軸および第２回転軸対応部によって前記第１圧接部品と回動自在に結合することにより、前記第１圧接部品と前記第２圧接部品が向き合った状態において、これらのほぼ全体を覆うように嵌合することにより前記第１圧接部品と前記第２圧接部品とをプラスチック袋を介して互いに圧接させ、かつその状態において前記第１開孔部に挿通して第２開孔部を形成する挿通管を有し、
前記蓋部品は前記第２開孔部を覆って密封することを特徴とするプラスチック袋用の密封装置。
【請求項２】
該第１圧接部品と該第２圧接部品は、互いの位置合わせのために嵌合部分を有していることを特徴とする請求項１のプラスチック袋用の密封装置。
【請求項３】
前記挿通管の外周に弾性のあるパッキング材を配設したことを特徴とする請求項１のプラスチック袋用の密封装置。
【請求項４】
前記蓋嵌合部品は、前記第１圧接部品および前記第２圧接部品との嵌合状態を保持するための嵌合保持部品を有することを特徴とする請求項１のプラスチック袋用の密封装置。
【請求項５】
前記蓋嵌合部品の前記挿通管の先端近傍にフランジを形成し、該フランジが前記第１圧接部品および／または前記第２圧接部品と係合することにより前記嵌合状態を保持することを特徴とする請求項４のプラスチック袋用の密封装置。
【請求項６】
前記蓋嵌合部品の前記第２開孔部に、前記蓋部分を取付けるためのネジを形成したことを特徴とする請求項１のプラスチック袋用の密封装置。
【発明の詳細な説明】
【技術分野】
【０００１】  本発明は、物品を収納するプラスチック袋の開口端を密封し、かつ開孔部によって該物品を出し入れすることができるプラスチック袋用の密封装置である。
【背景技術】
【０００２】  従来から、食品等が入ったプラスチック袋の開口部を密封するクリップが市販されており、簡便に使用できるため家庭用、業務用ともに広く普及している。このクリップは、図１３に示す様に、棒状で断面がＵ字状の溝が形成されている支持部品５２の端に、該Ｕ字状の溝に嵌合する嵌合部品５１が回動自在に取り付けられており、プラスチック袋の密封時には、その開口部付近を嵌合部品５１と支持部材５２で挟んで、両者を嵌合させる。嵌合部品５１と支持部品５２はポリプロピレン等のプラスチックで形成されているので、その弾力性と摩擦力を利用してプラスチック袋の膜を密着させることにより密封状態を保つ様になっている。
【発明の概要】
【発明が解決しようとする課題】
【０００３】  しかし、従来のクリップは特に密封状態をロックする機構を持たず、単にプラスチックの弾力性と摩擦力を利用しているだけなので、密封の信頼性があまり期待できなかった。したがって、従来はプラスチック袋の中に水等の液体を収納して運搬することは想定されていなかった。この課題を解決するために、特許５８３５７１４号に記載されている図１４の３次元的なクリップが開発された。このクリップは上記に説明した従来のクリップに更に第２の支持部品５３を加えてプラスチック袋を挟んで互いに密着、嵌合して密封状態を維持しようとするものである。しかし、このクリップの場合は、内部の収納物の出し入れを行うには、クリップを組み合わせた嵌合状態を一旦分解する必要があり、その時に水漏れ等が起きて使い勝手が悪かった。【０００４】  本発明に係るプラスチック袋用の密封装置は、上記の問題を解決するために創意工夫されたものであり、本発明の目的は水等の液体を含む物品を収納するプラスチック袋の開口端を密封し、かつ該物品を出し入れする開孔部を設けることにより、装置全体を組み合わせた嵌合状態を分解することなく、収納物を出し入れすることができる使い勝手のよいプラスチック袋用の密封装置を提供することにある。
【課題を解決するための手段】
【０００５】  本発明に係るプラスチック袋用の密封装置は、物品を収納するプラスチック袋の開口端を密封し、かつ開孔部によって該物品を出し入れできるプラスチック袋用の密封装置であり、該密封装置は第１圧接部品、第２圧接部品、蓋嵌合部品および蓋部品からなり、
該第１圧接部品と該第２圧接部品はそれぞれ、プラスチック袋を介して互いに圧接する圧接部と、圧接された状態において第１開孔部を形成する弧状部とを有し、
該第１圧接部品は、第１回転軸および該第１回転軸の方向に対して垂直な方向の第２回転軸を有し、
該第２圧接部品は、該第１回転軸および第１回転軸対応部によって該第１圧接部品と回動自在に結合することにより前記圧接部を圧接可能にし、
前記蓋嵌合部品は、前記第２回転軸および第２回転軸対応部によって前記第１圧接部品と回動自在に結合することにより、前記第１圧接部品と前記第２圧接部品が向き合った状態において、これらのほぼ全体を覆うように嵌合することにより前記第１圧接部品と前記第２圧接部品とをプラスチック袋を介して互いに圧接させ、かつその状態において前記第１開孔部に挿通して第２開孔部を形成する挿通管を有し、
前記蓋部品は前記第２開孔部を覆って密封することを特徴としている。
【発明の効果】
【０００６】  本発明に係るプラスチック袋用の密封装置では、第１圧接部品の圧接部分と第２圧接部品の圧接部分が、その長さ方向全体にわたって両側面から圧力を受けて、その間に挟んだプラスチック袋を圧接し密封する。該圧力は、蓋嵌合部品の逆Ｕ字型の横幅が第１圧接部品と第２圧接部品を密着させた幅とちょうど同じか若干狭くしてあるために、蓋嵌合部品の側面が内側から押されて変形し、その変形の大きさにほぼ比例する力が反作用として発生するものである。従来のクリップでも、クリップ先端部分に嵌合状態を維持するためのロック機構を設けたものもあるが、その構造であるとクリップの中間部分が変形して密封状態が保たれない問題があったが、本発明によるプラスチック袋用の密封装置ではこの問題はなく、安定した密封状態を維持できる。【０００７】  本発明に係る密封装置では、物品を収容しない場合はプラスチック袋を畳んでおけるので、通常の缶、ビン、ペットボトル等の既存の容器と比べて小型、軽量であり、また、プラスチック袋は安価であるため、使い捨てにすれば洗浄の必要がなくなる利点がある。更に、収納物が砂糖、塩その他の顆粒状や粉体状のものであって、それらの収納物を少しずつ取り出す場合、蓋部分があるので従来のクリップを使用した場合の様に嵌合状態をいちいち分解する煩わしさがない。また、使用するたびにプラスチック袋の開口部を開け閉めする必要がないので、プラスチック袋の膜の汚れや損耗を気にしなくてもよい。【０００８】  本は発明に係るプラスチック用の密封装置では、密封性が非常に高いので、収納する物品としては水等の液体も対象とすることができ、開孔部の蓋部品を利用すれば、従来のペットボトルと同様に、収納してある水等を注ぎ出し／入れすることができる特徴を持っている。また、本発明に係る密封装置では、プラスチック袋に間口の小さな開孔部よりも大きな物を予め入れることができるので、かちわり氷や梅酒用の梅等を収納した後に水やお酒を入れて密封し、必要な時に蓋を開けてその一部を取り出すことができる。【０００９】  更に、本発明に係る密封装置ではプラスチック袋を使っているので、外から収納物を揉んだり叩いたりすることができ、粘性のある物の場合はそれを絞り出すことも可能なので調理道具として用いることができる。
本発明に係るプラスチック袋用の密封装置は大型にすれば、例えば震災等の非常時や、キャンプ等のアウトドアにおいて水タンクとして使用でき、また、小型、中型にすれば旅行中に水筒、あるいは緊急時の尿袋等として使用することができる。
【図面の簡単な説明】
【０００１０】
【図１】組立て前の密封装置の斜視図
【図２】組立て中の密封装置の斜視図
【図３】組立て後の密封装置の斜視図
【図４】第２開孔部の上にキャップ取付用ネジを形成した実施例の斜視図
【図５Ａ】第１圧接部品の平面図
【図５Ｂ】第１圧接部品の斜視図
【図５Ｃ】第１圧接部品の逆側斜視図
【図５Ｄ】第１圧接部品圧接面に凸条を形成した実施例の斜視図
【図５Ｅ】第１圧接部品圧接面に凹凸面を形成した実施例の斜視図
【図６Ａ】第２圧接部品の平面図
【図６Ｂ】第２圧接部品の斜視図
【図６Ｃ】第２圧接部品の逆側斜視図
【図７Ａ】蓋嵌合部品の平面図
【図７Ｂ】蓋嵌合部品の斜視図
【図７Ｃ】蓋嵌合部品の下側斜視図
【図７Ｄ】蓋嵌合部品にキャップ取付用ネジを形成した実施例の斜視図
【図８】蓋嵌合部品に嵌合保持部品を形成した実施例の斜視図
【図９】図３のＡ−Ａ‘断面図
【図１０Ａ】図３のＢ−Ｂ‘の嵌合前の断面図
【図１０Ｂ】図３のＢ−Ｂ‘の嵌合中の断面図
【図１０Ｃ】図３のＢ−Ｂ‘の嵌合後の断面図
【図１１】蓋嵌合部品にパッキング材を配設した実施例における図３のＢ−Ｂ‘の組立て後の断面図
【図１２】蓋嵌合部品にパッキング材を配設した実施例における図３のＣ−Ｃ‘の組立て後の断面図
【図１３】従来のクリップの斜視図
【図１４】３次元的なクリップの斜視図
【図１５】クリップ用保持具の斜視図
【００１１】  図１〜図３は、それぞれ本発明に係るプラスチック袋用の密封装置の組立前、組立中、組立後を説明する斜視図である。図５Ａ〜図５Ｅは第１圧接部品を説明する図、図６Ａ〜図６Ｃは第２圧接部品を説明する図、図７Ａ〜図７Ｄは蓋嵌合部品を説明する図である。【００１２】  図１に示す様に、本発明に係るプラスチック袋用の密封装置１でプラスチック袋９を密封する場合、まず第１圧接部品２と第２圧接部品３とでプラスチック袋９の開口部近傍を挟む。第１圧接部品２と第２圧接部品３は、図５Ａに示す第１圧接部品２の第１回転軸（メス）２６と図６Ａに示す第２圧接部品３の第１回転軸対応部（オス）３４によって互いに回動自在に結合されているので、図２の様に、第１圧接部品２の弧状部２１と第２圧接部品３の弧状部３１で形成される第１開孔部３５を残した圧接部２２と圧接部３２でプラスチック袋９を挟み込むことができる。【００１３】  この場合、ユーザーはプラスチック袋９の第１開孔部３５から外にはみ出した部分を、片方の手の指で弧状部２１と弧状部３１の外側に押し当て、それと同時に第１開孔部３５の上から別の手の指を入れて、プラスチック袋９が第１開孔部３５の中で重ならない様に大雑把に形を整える。そして、第１圧接部品２と蓋嵌合部品４は、図５Ａに示す第２回転軸（オス）２７と図７Ｃに示す第２回転軸対応部（メス）４１によって回動自在に結合されているので、蓋嵌合部品４を回して、図３に示す様に第１圧接部品２と第２圧接部品３の外側ほぼ全体にわたって嵌合することができ、これによってプラスチック袋９の第２開孔部４２以外の部分を密封することができる。なお、当然ではあるが、第２回転軸２７の軸方向は第１回転軸２６と垂直になっている。【００１４】  図９は、この場合における図３のＡ−Ａ‘断面図を示すもので、蓋嵌合部品４の逆Ｕ字型の溝が第１圧接部品２の圧接部２２と第２圧接部品３の圧接部３２を両側から挟み込んで嵌合している。この場合、蓋嵌合部品４の逆Ｕ字型の溝の横幅を、圧接部２２の幅と圧接部３２の幅を足した幅とちょうど同じか若干狭くしてあるので、圧接部２２と圧接部３２でプラスチック袋９を圧接することができる。なお、この圧接する力はプラスチック袋９の膜厚が厚い程強くなることになる。また、圧接部２２と圧接部３２の外側の外形は凸面にしてあり、蓋嵌合部品４と圧接部２２、３２が接触する位置をその高さの中央付近にすることにより、圧力が圧接面２３と圧接面３３に垂直にかかる様にしている。【００１５】  図５Ａ〜図５Ｃに示す第１圧接部品２と図６Ａ〜図６Ｃに示す第２圧接部品３は回転軸の数が違う以外はほぼ対称形となっているが、この実施例では第１圧接部品２には嵌合凹部２８が形成され、第２圧接部品３には嵌合凸部３６が形成されている。これらは第１圧接部品２と第２圧接部品３が密着する場合に互いに嵌合することによって位置合わせする機能がある。なお、これらの部分もプラスチック袋９を圧接する圧接部２２、３２に含まれている。
本実施例における第１圧接部品２の弧状部２１と第２圧接部品３の弧状部３１はそれぞれの断面が半円形になっているが、特に第１開孔部の横断面が円形である必要はなく、適当な面積を持つ形状であればよい。また弧状部２１、３１の位置も任意であり、本実施例では密封装置１のほぼ中央にしているが端に近くにすることも可能である。一方、蓋嵌合部品４が第２回転軸２７を中心に回転して挿通管４３が第１開孔部３５の中に入ってくるため、第１開孔部３５の縦断面はすり鉢状にする必要があり、そのために弧状部２１、３１の内側断面も図５Ｃ、図６Ｂに示す様なすり鉢を割った様な形状にしている。【００１６】  図５Ｃ、図６Ｂおよび図９に示す実施例では、圧接部２２、３２はいずれもその圧接面２３、３３が平面であったが、圧力が局所的にかかる方が密封性が高くなるので、図５Ｄに示す第１圧接部品２の別の実施例では、圧接部２２の圧接面２３に横凸条２４と縦凸条２５を形成している。なお、この第１圧接部品２に密着する第２圧接部品３の圧接面３３は平面である。また、図５Ｅは他の第１圧接部品２の実施例で、その圧接面はノコギリ状の断面を持つ凹凸面２９であり、この場合は位置合わせのための嵌合部を兼ねている。なお、この実施例の場合、第２圧接部品３の圧接面は第１圧接部品２の凹凸と逆の凹凸を持つ形状となっている。【００１７】  図７Ａ〜図７Ｄは、蓋嵌合部品４を説明するものである。蓋嵌合部品４は前述の通り、第１圧接部品２と第２圧接部品３を密接させた状態で、その全体を嵌合するもので、その場合に挿通管４３が第１開孔部３５に位置に入り込んで第２開孔部４２を成形する。
挿通管４３の主な目的は、プラスチック袋９内に収納物を出し入れするためのダクトを確保するためであり、その意味では挿通管４３の側壁が完全につながった所謂「管」でなく、隙間があっても構わない。図７Ｂの切欠き部４５は、弧状部２１、３１の外に出ているプラスチック袋９を指で押さえている場合に、蓋嵌合部品４が回転して来てもその指に当たらない様にしたものである。なお、本実施例では、挿通管４３は嵌合状態を維持するための機能も有しているが、これについては後で述べる。【００１８】  図３に示す様に、プラスチック袋９を挟んで、第１圧接部品２、第２圧接部品３および蓋嵌合部品４が組み合わされた上で、第２開孔部４２に蓋部品を取り付ければプラスチック袋９の密封が達成されるが、該蓋部品として簡単なものではワインのコルク栓の様なものでも構わない。図４に示す実施例では、蓋嵌合部品４の第２開孔部４２の外側に市販の炭酸飲料用ペットボトルと同じ規格のキャップ取付用ネジ４６を形成したもので、蓋部品５はペットボトルのキャップを使用できる。【００１９】  蓋嵌合部品４は、第１圧接部品２と第２圧接部品３と嵌合して、その状態はこれらの摩擦力で保たれているが、密封状態にするためには積極的にこれらを密着させることが望ましい。図８はこの目的のために嵌合保持部品６を蓋嵌合部品４の端に取り付けた実施例を示すもので、ヒンジ６１の回りをフック６２が回転して第１圧接部品２、第２圧接部品３に固定する様にしている。これは市販のお弁当箱に付いているロック装置と同じ原理であり、蓋嵌合部品４の端でなく、蓋嵌合部品４の両側側面に設けてもよい。【００２０】  図１に示す実施例では、挿通管４３は嵌合保持部品としても機能する様にしている。すなわち図７Ｃに示す様に、挿通管４３の先端近傍にフランジを成形して、これが第１圧接部品２および第２圧接部品３の一部と嵌合して、蓋嵌合部品４、第１圧接部２および第２圧接部品３とが密着する様にしている。図１０Ａ〜図１０Ｃは図３のＢ−Ｂ‘の断面図であり、この仕組みを説明するものである。【００２１】  図１０Ａは、挿通管４３が未だ第１圧接部２の弧状部２１と第２圧接部３の弧状部３１と接触する前の断面図である。図中の矢印Ｄは挿通管４３が蓋嵌合部品４の回転とともに第１開孔部３５に挿入されて行く方向を示している。このとき、プラスチック袋９の開口部の両側それぞれは、弧状部２１と弧状部３１の上部を経由して外側に出ている。図１０Ｂは、蓋嵌合部品４の回転が進んで挿通管４３の先端が弧状部２１と弧状部３２に突き当った状態を示している。本実施例では、第１開孔部３５の一番狭い横幅がフランジ４４の横幅よりやや小さくしてあるので、本来であれば、蓋嵌合部品４の回転はそれ以上に進まないのであるが、蓋嵌合部品４を強く押し込めば、第１回転軸２６があるので、図中の矢印Ｅに示す様に、弧状部２１と弧状部３１は蓋嵌合部品４からの圧力に抗して横に少しだけ開くことができる。【００２２】  図１０Ｃは、更にその後に進んで、蓋嵌合部品４、第１圧接部品２、第２圧接部品３の嵌合が終了した状態を示している。フランジ４４は弧状部２１と弧状部３１の下部にある切欠き部に収まって密着する形状になっている。この場合、プラ��チック袋９の膜は可撓性があるので密封度を上げるのに効果がある。しかし、全体の密封度を完全にするためには図１１に示す様に、挿通管４３の近傍外周に弾性のあるパッキング材１０を配設し、圧接部２２と圧接部３２の頭を押さえることが望ましい。この様にすることにより、パッキング材１０は位置合わせの多少の誤差を吸収するので密封性がより向上する。【００２３】  なお、図１２は、この場合の図３のＣ−Ｃ’断面図であるが、この図はＣ−Ｃ’方向には挿通管４３にフランジ４４が形成されていないことを示している。これは第１圧接部品２も第２圧接部品３もＣ−Ｃ’方向には変形しにくいことを考慮したものである。
上記の説明の通り、フランジ４４のある挿通管４３は嵌合保持機能があるが、これを図８の嵌合保持部品６と併用してもよい。
なお、開口部を密封されたプラスチック袋９を持ち運ぶ場合は、そのまま全体をバッグに入れたり、手持にしたりできるが、特許５９０７４９１号に記載されている図１５のプラスチッククリップ用保持具を利用することにより、移動中の密封性をより高めることができる。
【符号の説明】
【００２４】  １    蓋部品を除いた密封装置
２    第１圧接部品
２１  第１圧接部品の弧状部
２２  第１圧接部品の圧接部
２３  第１圧接部品の圧接面
２４  第１圧接部品の横凸条
２５  第１圧接部品の縦凸条
２６  第１回転軸
２７  第２回転軸
２８  嵌合凹部
２９  第１圧接部品の凹凸面
３    第２圧接部品
３１  第２圧接部品の弧状部
３２  第２圧接部品の圧接部
３３  第２圧接部品の圧接面
３４  第１回転軸対応部
３５  第１開孔部
３６  嵌合凸部
４    蓋嵌合部品
４１  第２回転軸対応部
４２  第２開孔部
４３  挿通管
４４  フランジ
４５  切欠き部
４６  キャップ取付用ネジ
５    蓋部品
６    嵌合保持部品
６１  ヒンジ
６２  フック
９    プラスチック袋
１０  パッキング材
【図１】
2020011778.tif 000003
【図２】
2020011778.tif 000004
【図３】
2020011778.tif 000005
【図４】
2020011778.tif 000006
【図５Ａ】
2020011778.tif 000007
【図５Ｂ】
2020011778.tif 000008
【図５Ｃ】
2020011778.tif 000009
【図５Ｄ】
2020011778.tif 000010
【図５Ｅ】
2020011778.tif 000011
【図６Ａ】
2020011778.tif 000012
【図６Ｂ】
2020011778.tif 000013
【図６Ｃ】
2020011778.tif 000014
【図７Ａ】
2020011778.tif 000015
【図７Ｂ】
2020011778.tif 000016
【図７Ｃ】
2020011778.tif 000017
【図７Ｄ】
2020011778.tif 000018
【図８】
2020011778.tif 000019
【図９】
2020011778.tif 000020
【図１０Ａ】
2020011778.tif 000021
【図１０Ｂ】
2020011778.tif 000022
【図１０Ｃ】
2020011778.tif 000023
【図１１】
2020011778.tif 000024
【図１２】
2020011778.tif 000025
【図１３】
2020011778.tif 000026
【図１４】
2020011778.tif 000027
【図１５】
2020011778.tif 000028